(57)【特許請求の範囲】
【請求項１】
加入者側のメディアコンバータとネットワーク側のメディアコンバータとの間を光伝送路により接続したデータ伝送システムに於ける保守管理システムに於いて、
前記ネットワーク側のメディアコンバータ及び前記加入者側のメディアコンバータは、前記ネットワーク側及び前記加入者側からのデータと前記光伝送路に送出するデータとの符号を変換する符号変換部と、
前記光伝送路に送出するユーザデータフレーム間のガードタイムに保守管理フレームを挿入する挿入部及び保守管理フレームを抽出する抽出部とを含む構成の保守管理フレーム処理部とを備え、
前記保守管理フレーム処理部の前記挿入部は、前記保守管理フレームのフレーム長に対応した遅延時間を前記ガードタイム期間内に与えるデータ遅延部と、該遅延部により遅延された期間内に前記保守管理フレームを挿入する保守管理フレーム挿入部と、前記データ遅延部と前記保守管理フレーム挿入部とを制御する保守管理フレーム生成部とを含む構成を有し、
且つ前記ネットワーク側のメディアコンバータは、前記保守管理フレーム処理部を介して保守管理情報の送受信制御を行う制御端末装置を接続した構成を備えた
ことを特徴とする保守管理システム。
【請求項２】
前記保守管理フレーム処理部は、ｘ＜ｙとしてｘＢ／ｙＢ符号の中のユーザデータに使用しないｙＢ符号を保守管理符号に割当てて前記保守管理フレームを形成し、該保守管理フレームを前記ユーザデータフレーム間のガードタイム内に挿入して送出する前記挿入部及び前記ユーザデータフレーム間のガードタイム内の保守管理フレームを抽出する抽出部とを備えた構成を有することを特徴とする前記請求項１記載の保守管理システム。
【請求項３】
前記保守管理フレーム処理部は、ｘ＜ｙとしてｘＢ／ｙＢ符号の中で定義されているｙＢ符号の一部を保守管理符号に割当てて前記保守管理フレームを形成し、該保守管理フレームを前記ユーザデータフレーム間のガードタイム内に挿入して送出する前記挿入部及び前記ユーザデータフレーム間のガードタイム内の保守管理フレームを抽出する抽出部とを備えたことを特徴とする前記請求項１記載の保守管理システム。
【請求項４】
前記保守管理フレーム処理部の前記挿入部は、保守管理フレーム生成部と、受信した前記ユーザデータフレームの末尾の終了符号検出を基に挿入タイミング信号を形成して出力するデータ受信部と、該データ受信部からの前記挿入タイミングに従って前記保守管理フレーム生成部に於いて生成した保守管理フレームを、前記ユーザデータフレーム間のガードタイム内に挿入する為の遅延時間を与えるデータ遅延部と、前記挿入タイミング信号に従って前記保守管理フレームを前記ユーザデータフレーム間のガードタイム内に挿入する保守管理フレーム挿入部とを備えたことを特徴とする前記請求項１記載の保守管理システム。
【請求項５】
前記保守管理フレーム処理部は、送信先の装置識別符号を付加した保守管理フレームを生成する保守管理フレーム生成部を備えたことを特徴とする前記請求項１乃至４の何れか１項記載の保守管理システム。
【請求項６】
加入者側の複数のメディアコンバータとネットワーク側のメディアコンバータとの間を中継光スイッチ装置と光伝送路とを介して接続したデータ伝送システムに於ける保守管理システムに於いて、
前記ネットワーク側のメディアコンバータ及び前記加入者側のメディアコンバータは、前記ネットワーク側及び前記加入者側からのデータと前記光伝送路に送出するデータとの符号を変換する符号変換部と、装置識別符号を付加した保守管理フレームを生成し且つ前記光伝送路に送出するユーザデータフレーム間のガードタイムに前記保守管理フレームを挿入及び受信した保守管理フレームを抽出する保守管理フレーム処理部とを備え、
且つ前記ネットワーク側のメディアコンバータは、前記保守管理フレーム処理部を介して保守管理情報の送受信制御を行う制御端末装置を接続した構成を備え、
前記中継光スイッチ装置は、前記ユーザデータフレームを送信先アドレスに従って分配送出するスイッチ部と、前記保守管理フレームを抽出する抽出部と、抽出した前記保守管理フレームに付加された前記装置識別符号により送信先を識別して該送信先に対応する前記スイッチ部から分配送出するユーザデータフレーム間のガードタイム内に前記保守管理フレームを挿入する挿入部とを備えた
ことを特徴とする保守管理システム。
【請求項７】
前記スイッチ部の出力ポート番号と前記保守管理フレームに付加された装置識別符号とを対応付けたポート番号参照部と、前記スイッチ部の出力ポート番号対応の前記挿入部と、前記ポート番号参照部により前記装置識別符号から求めたポート番号に従った前記挿入部に、前記抽出部から抽出した保守管理フレームを転送するポート振分部とを備えたことを特徴とする前記請求項６記載の保守管理システム。
【請求項８】
加入者側のメディアコンバータとネットワーク側のメディアコンバータとの間を光伝送路により接続してユーザデータフレームを伝送するデータ伝送システムに於ける保守管理方法に於いて、
前記ネットワーク側のメディアコンバータに制御端末装置を接続し、前記ネットワーク側のメディアコンバータと前記加入者側のメディアコンバータとに於けるユーザデータフレーム間のガードタイム内に、前記制御端末装置により送受信する保守管理情報を伝送する保守管理フレームのフレーム長の期間を遅延させて、該遅延により形成された期間内に前記保守管理フレームを挿入して伝送する過程を含む
ことを特徴とする保守管理方法。
【請求項９】
前記加入者側のメディアコンバータと前記ネットワーク側のメディアコンバータとの間に、ｘ＜ｙとしてｘＢ／ｙＢ符号変換によるｙＢ符号を用いて形成したユーザデータフレームを伝送し、前記ｘＢ／ｙＢ符号の中の未定義のｙＢ符号を前記保守管理符号に割当てて前記保守管理フレームを形成する過程を含むことを特徴とする前記請求項８記載の保守管理方法。
【請求項１０】
前記加入者側のメディアコンバータと前記ネットワーク側のメディアコンバータとの間に、ｘ＜ｙとしてｘＢ／ｙＢ符号変換によるｙＢ符号を用いて形成したユーザデータフレームを伝送し、前記ｘＢ／ｙＢ符号の中で定義されているｙＢ符号の一部を前記保守管理符号に割当てて、前記保守管理フレームを形成する過程を含むことを特徴とする前記請求項８記載の保守管理方法。
【請求項１１】
前記保守管理フレームを、前記ｘＢ／ｙＢ符号変換によるｙＢ符号の中の未定義のｙＢ符号を前記保守管理符号に割当てると共に、保守管理フレーム開始符号に割当て、該保守フレーム開始符号を少なくとも２個先頭にした前記保守管理符号を付加して形成する過程を含むことを特徴とする前記請求項８又は９記載の保守管理方法。
【請求項１２】
前記保守管理フレームを、前記ｘＢ／ｙＢ符号変換によるｙＢ符号の中の定義されているｙＢ符号の一部を前記保守管理符号及び保守管理フレーム開始符号に割当て、データストリーム開始符号と前記保守管理フレーム開始符号とを前記保守管理符号に付加して形成する過程を含むことを特徴とする前記請求項８又は１０記載の保守管理方法。
【請求項１３】
前記保守管理フレームの保守管理フレーム開始符号と保守管理符号と送信先又は送信元を示す装置識別符号とを付加して伝送する過程を含むことを特徴とする前記請求項８乃至１２の何れか１項記載の保守管理方法。
【請求項１４】
加入者側の複数のメディアコンバータとネットワーク側のメディアコンバータとの間を中継光スイッチ装置と光伝送路とを介して接続したデータ伝送システムに於ける保守管理方法に於いて、
前記ネットワーク側のメディアコンバータに制御端末装置を接続し、前記ネットワーク側のメディアコンバータと前記加入者側のメディアコンバータとに於けるユーザデータフレーム間のガードタイム内に、前記制御端末装置により送受信する保守管理情報と装置識別符号とを少なくとも含む保守管理フレームを挿入して伝送し、前記中継光スイッチ装置は、前記ユーザデータフレームを送信先アドレスに従って分配送出し、前記ユーザデータフレーム間のガードタイム内の保守管理フレームを抽出し、該保守管理フレームに付加されている前記装置識別符号に対応する送信先の前記ユーザデータフレーム間のガードタイム内に挿入して送出する過程を含む
ことを特徴とする保守管理方法。
【発明の詳細な説明】
【０００１】
【発明の属する技術分野】
本発明は、加入者側のメディアコンバータとネットワーク側のメディアコンバータとの間を光伝送路により接続して、可変長のユーザデータフレームを高速伝送するデータ伝送システムの保守及び管理を行う保守管理システムに関する。
【０００２】
【従来の技術】
ネットワーク側と加入者側との間を光伝送路により接続して、例えば１００ＢＡＳＥ−ＦＸ（ＩＥＥＥ８０２．３ｕにより標準化された１００Ｍｂｐｓの伝送速度の物理層仕様の一つ）により伝送するＬＡＮ（Ｌｏｃａｌ  Ａｒｅａ  Ｎｅｔｗｏｒｋ）が知られている。伝送符号としては、例えば、４ビットを５ビットに符号変換する４Ｂ／５Ｂ符号を用い、５Ｂ符号を光信号に変換して光伝送路に送出する。又その場合のフレームは可変長であり、ユーザデータは、データ長として最小４６オクテット、最大１５００オクテットに規定されている。
【０００３】
又光伝送路と加入者側の端末装置との間及び光伝送路とネットワーク側の機器との間には、前述のように、４Ｂ／５Ｂの符号変換の機能と電気／光変換の機能とを含むメディアコンバータを設け、光伝送路を用いることにより、データ伝送距離を延長することができる。従って、比較的大規模なＬＡＮを構成することが容易となる。
【０００４】
【発明が解決しようとする課題】
前述のようなメディアコンバータを含む光伝送路を含むＬＡＮ等のデータ伝送システムは、通常と同一企業内のＬＡＮとして使用するものであるが、光伝送路により高速大容量のデータ伝送ができるから、単一或いは複数の任意の加入者に通信サービスを提供することが可能となる。その場合に、データ伝送システムに対する保守及び管理が必要となる。このような保守管理機能として、上位プロトコルの例えばＳＮＭＰ（Ｓimple Ｎetwork  Ｍanagement Ｐrotocol ）が知られている。
【０００５】
しかし、このような上位プロトコルを用いて保守管理を実現するには、メディアコンバータに、上位プロトコル終端機能を設ける必要があり、コストアップとなる問題及びユーザデータフレームの伝送遅延の増大の問題が生じる。又メディアコンバータではなく、端末装置側にこの上位プロトコルを実装することが考えられるが、この上位プロトコルを実装した端末装置のみがメディアコンバータを介したデータ伝送が可能となる問題があり、且つ保守管理情報を伝送することによりユーザデータのトラフィックに大きな影響を与える問題がある。
【０００６】
本発明は、簡単な構成により、ユーザデータのトラフィックに影響を与えることなく、保守管理を実行できるようにすることを目的とする。
【０００７】
【課題を解決するための手段】
本発明の保守管理システムは、図１を参照して説明すると、加入者側のメディアコンバータ１とネットワーク側のメディアコンバータ２との間を光伝送路３により接続したデータ伝送システムに於ける保守管理システムであって、ネットワーク側のメディアコンバータ１及び加入者側のメディアコンバータ２は、ネットワーク側及び前記加入者側からのデータと光伝送路３に送出するデータとの符号を変換する符号変換部と、光伝送路３に送出するユーザデータフレーム間のガードタイムに保守管理フレームを挿入する挿入部及び保守管理フレームを抽出する抽出部とを含む構成の保守管理フレーム処理部とを備え、前記保守管理フレーム処理部の前記挿入部は、前記保守管理フレームのフレーム長に対応した遅延時間を前記ガードタイム期間内に与えるデータ遅延部と、該遅延部により遅延された期間内に前記保守管理フレームを挿入する保守管理フレーム挿入部と、前記データ遅延部と前記保守管理フレーム挿入部とを制御する保守管理フレーム生成部とを含む構成を有し、且つ前記ネットワーク側のメディアコンバータ１は、保守管理フレーム処理部を介して保守管理情報の送受信制御を行う制御端末装置６を接続した構成とする。
【０００８】
又保守管理フレーム処理部は、ｘ＜ｙとしてｘＢ／ｙＢ符号、例えば、４Ｂ／５Ｂ符号や８Ｂ／１０Ｂ符号等の中のユーザデータに使用しないｙＢ符号を保守管理符号に割当てて保守管理フレームを形成し、この保守管理フレームをユーザデータフレーム間のガードタイム内に挿入して送出する挿入部及びユーザデータフレーム間のガードタイム内の保守管理フレームを抽出する抽出部とを備えた構成を有する。又は保守管理フレーム処理部は、ｘＢ／ｙＢ符号の中で定義されているｙＢ符号の一部を保守管理符号に割当てて保守管理フレームを形成し、この保守管理フレームをユーザデータフレーム間のガードタイム内に挿入して送出する挿入部及び前記ユーザデータフレーム間のガードタイム内の保守管理フレームを抽出する抽出部とを備えた構成を有するものである。
【０００９】
又保守管理フレーム処理部の挿入部は、保守管理フレーム生成部と、受信したユーザデータフレームの末尾の終了符号検出を基に挿入タイミング信号を形成して出力するデータ受信部と、このデータ受信部からの前記挿入タイミングに従って保守管理フレーム生成部に於いて生成した保守管理フレームを、ユーザデータフレーム間のガードタイム内に挿入する保守管理フレーム挿入部とを備えている。又保守管理フレーム処理部は、送信先の装置識別符号を付加した保守管理フレームを生成する保守管理フレーム生成部を備えることができる。
【００１０】
又加入者側の複数のメディアコンバータとネットワーク側のメディアコンバータとの間を中継光スイッチ装置と光伝送路とを介して接続したデータ伝送システムに於ける保守管理システムに於いて、ネットワーク側のメディアコンバータ及び加入者側のメディアコンバータは、ネットワーク側及び加入者側からのデータと光伝送路に送出するデータとの符号を変換する符号変換部と、装置識別符号を付加した保守管理フレームを生成し且つ光伝送路に送出するユーザデータフレーム間のガードタイムに保守管理フレームを挿入及び受信した保守管理フレームを抽出する保守管理フレーム処理部とを備え、且つネットワーク側のメディアコンバータは、前記保守管理フレーム処理部を介して保守管理情報の送受信制御を行う制御端末装置を接続した構成を備え、中継光スイッチ装置は、ユーザデータフレームを送信先アドレスに従って分配送出するスイッチ部と、保守管理フレームを抽出する抽出部と、抽出した保守管理フレームに付加された装置識別符号により送信先を識別して、送信先に対応するスイッチ部から分配送出するユーザデータフレーム間のガードタイム内に保守管理フレームを挿入する挿入部とを備えた構成を有するものである。
【００１１】
又スイッチ部の出力ポート番号と保守管理フレームに付加された装置識別符号とを対応付けたポート番号参照部と、スイッチ部の出力ポート番号対応の挿入部と、ポート番号参照部により装置識別符号から求めたポート番号に従った挿入部に、抽出部から抽出した保守管理フレームを転送するポート振分部とを備えている。
【００１２】
又本発明の保守管理方法は、加入者側のメディアコンバータ２とネットワーク側のメディアコンバータ１との間を光伝送路３により接続してユーザデータフレームを伝送するデータ伝送システムに於ける保守管理方法であって、ネットワーク側のメディアコンバータ１に制御端末装置６を接続し、ネットワーク側のメディアコンバータ１と加入者側のメディアコンバータ２とに於けるユーザデータフレーム間のガードタイム内に、制御端末装置６により送受信する保守管理情報を伝送する為の保守管理フレームを挿入して伝送する過程を含むものである。
【００１３】
又加入者側のメディアコンバータとネットワーク側のメディアコンバータとの間に、ｘ＜ｙとしてｘＢ／ｙＢ符号変換、例えば、４Ｂ／５Ｂ符号や８Ｂ／１０Ｂ符号等の符号変換によるｙＢ符号を用いて形成したユーザデータフレームを伝送し、ｘＢ／ｙＢ符号の中の未定義のｙＢ符号を保守管理符号に割当てて保守管理フレームを形成する過程を含むことができる。又ｘＢ／ｙＢ符号の中で定義されているｙＢ符号の一部を保守管理符号に割当てて、保守管理フレームを形成する過程を含むことができる。
【００１４】
又保守管理フレームを、ｘＢ／ｙＢ符号変換によるｙＢ符号の中の未定義のｙＢ符号を保守管理符号に割当てると共に、保守管理フレーム開始符号に割当て、保守フレーム開始符号を少なくとも２個先頭にした保守管理符号を付加して形成する過程を含むことができる。又ｙＢ符号の中の定義されているｙＢ符号の一部を保守管理符号及び保守管理フレーム開始符号に割当て、データストリーム開始符号と保守管理フレーム開始符号とを保守管理符号に付加して形成する過程を含むことができる。又保守管理フレームの送信先又は送信元を示す装置識別符号を付加して伝送する過程を含むことができる。
【００１５】
又加入者側の複数のメディアコンバータとネットワーク側のメディアコンバータとの間を中継光スイッチ装置と光伝送路とを介して接続したデータ伝送システムに於ける保守管理方法であって、ネットワーク側のメディアコンバータに制御端末装置を接続し、ネットワーク側のメディアコンバータと加入者側のメディアコンバータとに於けるユーザデータフレーム間のガードタイム内に、制御端末装置により送受信する保守管理情報と装置識別符号とを少なくとも含む保守管理フレームを挿入して伝送し、中継光スイッチ装置は、ユーザデータフレームを送信先アドレスに従って分配送出し、ユーザデータフレーム間のガードタイム内の保守管理フレームを抽出し、この保守管理フレームに付加されている装置識別符号に対応する送信先のユーザデータフレーム間のガードタイム内に挿入して送出する過程を含むものである。
【００１６】
【発明の実施の形態】
図１は本発明の第１の実施の形態の説明図であり、（Ａ），（Ｂ）に於いて、１はネットワーク側のメディアコンバータ（ＭＣ）、２は加入者側のメディアコンバータ（ＭＣ）、３は光伝送路、４はネットワーク側の伝送路、５は加入者側の伝送路、６は制御端末装置、７はネットワーク機器、８は加入者側の端末装置を示す。
【００１７】
ネットワーク機器７と加入者側の端末装置８との間を、伝送路４と、メディアコンバータ１と、光伝送路３と、メディアコンバータ２と、伝送路５とを介して接続して、１００ＢＡＳＥ−ＦＸ等に準拠したデータ伝送システムを構成した場合を示し、メディアコンバータ１，２は、電気信号を光信号に変換して光伝送路３に送出し、又光伝送路３からの光信号を受信して電気信号に変換して伝送路４，５に送出する為の電気／光変換機能と、伝送路４，５と光伝送路３との間の伝送符号を変換する符号変換機能と、障害検出機能とを備えた従来例の構成に、保守情報や管理情報を伝送する保守管理フレームの形成機能と、この保守管理フレームをユーザデータフレーム間のガードタイム内に挿入及び抽出する機能を設け、又ネットワーク側のメディアコンバータ１にパーソナルコンピュータ等からなる制御端末装置６を接続し、この制御端末装置６によって、図示のデータ伝送システムの保守及び管理を行うものである。
【００１８】
又加入者側のメディアコンバータ２は、前述のように、伝送路５と光伝送路３との間の電気信号と光信号との変換と、４Ｂ／５Ｂ符号等の符号変換機能と共に、伝送路５の障害発生やメディアコンバータ２内の障害発生の検出機能と、これによって検出した保守情報を保守管理フレームによって送出機能と、受信抽出した保守管理フレームによる管理情報に従った制御機能とを含むものである。又ネットワーク側のメディアコンバータ１は、前述のように、伝送路４と光伝送路３との間の電気信号と光信号との変換と、４Ｂ／５Ｂ符号等の符号変換機能と、制御端末装置６からの管理情報を保守管理フレームとして送出する機能と、受信抽出した保守管理フレームによる保守情報を制御端末装置６へ転送する機能とを含むものである。
【００１９】
この保守管理システムに於いては、例えば、図１の（Ａ）に示すように、加入者側のメディアコンバータ２と端末装置３との間の伝送路５が断となると、メディアコンバータ２に於いて端末装置８との間の信号断となることにより、リンク断発生として検出し、このリンク断発生情報を含む保守管理フレームを形成し、この保守管理フレームを、ユーザデータフレーム間のガードタイム内に挿入して、光伝送路３を介してネットワーク側のメディアコンバータ１に送出する。ネットワーク側のメディアコンバータ１は、保守管理フレームを抽出して、制御端末装置６に転送する。制御端末装置６は、保守管理フレームによるリンク断発生情報に従ってアラーム表示等を行う。
【００２０】
又図１の（Ｂ）に示すように、端末装置８とメディアコンバータ２との間の通信が回復すると、このメディアコンバータ２に於いてリンク断回復として検出し、リンク断回復情報を含む保守管理フレームを形成し、この保守管理フレームを、ユーザデータフレーム間のガードタイムに挿入して光伝送路３に送出する。ネットワーク側のメディアコンバータ１は、保守管理フレームを抽出して制御端末装置６に転送する。制御端末装置６は、リンク断回復情報に従って、リンク断発生情報によるアラーム表示をクリアする。
【００２１】
図２はフレームフォーマットの説明図であり、（ａ）は前述の１００ＢＡＳＥ−ＦＸに於けるデータリンク層でのフレームフォーマットを示し、パケットの前後の１０及び１８は最小サイズが１２オクテット（Ｏｃｔ）に規定されているＩＰＧ（Ｉｎｔｅｒ  Ｐａｋｅｔ  Ｇａｐ）を示し、前述のユーザデータフレーム間のガードタイムに対応する。
【００２２】
又１１は７オクテットのパケットの受信の同期をとる為のプリアンブル、１２は６オクテットの送信先ＭＡＣアドレス（ＤＡ；Ｄｅｓｔｉｎａｔｉｏｎ  Ａｄｄｒｅｓｓ）、１３は６オクテットの送信元ＭＡＣアドレス（ＳＡ；Ｓｏｕｒｃｅ  Ａｄｄｒｅｓｓ）、１４は２オクテットのネットワーク層のプロトコルタイプ／データ長（Ｔ／Ｌ）、１５は最小４６オクテットから最大１５００オクテットのユーザデータ、１６は４オクテットの誤り検査用のＦＣＳ（Ｆｒａｍｅ  Ｃｈｅｃｋ  Ｓｅｑｕｅｎｃｅ）、１７は１オクテットのデータ列の先頭を示すＳＦＤ（Ｓｔａｒｔ  ｏｆ  Ｆｒａｍｅ  Ｄｅｌｉｍｉｔｅｒ）を示す。
【００２３】
又図２の（ｂ）は、（ａ）に示すユーザデータフレームを４Ｂ／５Ｂ符号の符号変換を行った５Ｂ符号のフレームを示し、２０，２４は／ＩＤＬＥ／、即ち、（ａ）のＩＰＧに対応するアイドルパターン（ユーザデータフレーム間のガードタイム）、２１はユーザデータフレームの先頭を示す開始符号ＳＳＤ（Ｓｔａｒｔ  ｏｆ  Ｓｔｒｅａｍ  Ｄｅｌｉｍｉｔｅｒ）（／Ｊ／Ｋ／）、２２は（ａ）の１１〜１７について５Ｂ符号に変換したユーザデータ、２３はユーザデータフレームの終了を示す終了符号ＥＳＤ（Ｅｎｄ  ｏｆ  Ｓｔｒｅａｍ  Ｄｅｌｉｍｉｔｅｒ）（／Ｔ／Ｒ／）である。なお、前述のＪ，Ｋ，Ｔ，Ｒは、定義された５Ｂ符号の名称を示す。
【００２４】
又（ｃ）は、（ｂ）に示すフレームが複数個順次伝送された状態を示す。即ち、データ部として示す可変長のユーザデータフレームがそれぞれ衝突しないようにガードタイムを介したタイミングで伝送されるもので、そのガードタイム内にアイドルパターン／ＩＤＬＥ／を伝送する状態を示す。又（ｄ）は、本発明に於いて用いる保守管理フレーム３０を示す。この保守管理フレーム３０をユーザデータフレーム間のアイドルパターン（ガードタイム）内に挿入して伝送する。この場合、ユーザデータフレームのデータ部に保守管理フレームが衝突しないように、保守管理フレームの前後にアイドルパターン／ＩＤＬＥ／を付加した構成を示す。
【００２５】
本発明に於いては、前述のように、メディアコンバータ１，２間で、ユーザデータフレーム間のアイドルパターンを利用して保守管理フレームを伝送するものであり、ユーザデータの伝送に対して影響を及ぼすことなく、且つＳＮＭＰ等の上位プロトコルを実装することなく、制御端末装置６に於いてメディアコンバータ１，２と光伝送路３と加入者側の伝送路５とを含むデータ伝送システムの保守及び管理を行うことができる。
【００２６】
図３は４Ｂ／５Ｂ符号の説明図であり、ｘＢ／ｙＢ符号のｘ＝４，ｙ＝５とした４Ｂ／５Ｂ符号の名称と、４Ｂ符号と、５Ｂ符号と、その説明とについて示し、３１はデータ符号、３２は制御符号、３３は未定義符号であり、データ符号３１は４ビットの符号”００００”〜”１１１１”（名称０〜Ｆ）に対応する１６個の５ビット符号を用いるものである。又制御符号３２の”１１１１１”はアイドルパターン（ＩＤＬＥ）を構成する符号であり、又名称Ｊの”１１０００”と、名称Ｋの”１０００１”とを用いてデータストリーム開始符号（ＳＳＤ）とし、又名称Ｔの”０１１０１”と、名称Ｒの”００１１１”とを用いてデータストリーム終了符号（ＥＳＤ）とする。又名称Ｈの”００１００”を送信エラー符号とするものである。又未定義符号３３は、３２個の５ビット符号の中のデータ符号３１と制御符号３２とに割当てない残りの１０個の符号である。
【００２７】
図４は本発明の実施の形態に於ける４Ｂ／５Ｂ符号の説明図であり、保守管理フレームに於いて使用する為の符号を示し、図３に示す１０個の未定義符号の中のＳ１＝”０００１１”，Ｓ２＝”００１０１”，Ｓ３＝”００１１０”を保守管理符号１〜３からなる保守管理符号４１とし、Ｍ＝”１１００１”を保守管理フレーム開始符号４２とした場合を示す。
【００２８】
図５は保守管理フレームの説明図であり、（Ａ）は、開始符号部５１と保守管理情報部５２とからなる保守管理フレームを示し、開始符号部５１は、２個の保守管理フレーム開始符号（Ｍ）、即ち、図４のＭ＝”１１００１”の保守管理フレーム開始符号４２を２個連続して送出する場合を示す。この保守管理フレーム開始符号４２は１個とすることも可能であるが、２個以上の複数個を用いることにより、ガードタイム内に挿入した保守管理フレームを誤りなく確実に検出できるようにして、信頼性を向上することができる。又保守管理情報部５２の保守管理符号１〜３は、前述のリンク断等の障害内容や折返しの試験等の制御内容に従った選択組み合わせを行うものである。
【００２９】
このような開始符号部５１と保守管理情報部５２とからなる保守管理フレームは、データストリームのアイドルパターン内に挿入するものであり、保守管理フレーム長は、アイドルパターンより短くする必要がある。従って、固定長とするものである。従って、図５の（Ａ）に示すように、フレーム終了符号がなくても、保守管理フレーム開始符号から予め定めたデータ長の保守管理フレームを受信処理することが可能となる。
【００３０】
図６は本発明の他の実施の形態に於ける４Ｂ／５Ｂ符号の説明図であり、図３のデータ符号３１の中のＣ＝”１１０１０”〜Ｆ＝”１１１０１”の４個を保守管理符号１〜４とした保守管理符号６１を用い、又図３の制御符号３２の中のデータストリーム開始符号Ｋとデータストリーム終了符号Ｒとを、保守管理フレーム開始符号６２とした場合を示す。即ち、４Ｂ／５Ｂ符号としての名称は、Ｃ／Ｓ１，Ｄ／Ｓ２，Ｅ／Ｓ３，Ｆ／Ｓ４及びＫ／Ｍ１，Ｒ／Ｍ２として示すように、ユーザデータに用いる符号の一部を保守管理データとして用い、未定義符号は未定義の状態のままとする。
【００３１】
図５の（Ｂ）は、図６に示す４Ｂ／５Ｂ符号を用いた保守管理フレームを示し、先頭部５３は、データストリーム開始符号ＳＳＤ（Ｊ），（Ｋ／Ｍ１）を用い、開始符号部５４は、保守管理フレーム開始符号（Ｋ／Ｍ１），（Ｒ／Ｍ２）を用い、保守管理情報部５５は、保守管理符号（Ｃ／Ｓ１），（Ｄ／Ｓ２），（Ｅ／Ｓ３），（Ｆ／Ｓ４）を用い、終了部５６は、データストリーム終了符号ＥＳＤ（Ｔ），（Ｒ／Ｍ２）を用いた場合を示す。
【００３２】
この場合は、未定義の符号を用いるものではないから、ユーザデータと混同しないように、ユーザデータフレームに於ける先頭部と同様な先頭部５３と、保守管理フレームの先頭を示す開始符号部５４とを、保守管理フレームの先頭に付加し、次に、保守管理情報部５５を付加し、最後に、終了部５６を付加して、ユーザデータフレーム間のアイドルパターン（ガードタイム）内に挿入できるフレーム長とする。
【００３３】
図７は本発明の実施の形態の挿入部の説明図であり、図１のメディアコンバータ１，２に於ける保守管理フレームを挿入して送出する挿入部の要部を示すもので、７１はデータ受信部、７２はデータ遅延部、７３は保守管理フレーム挿入部、７４はデータ送信部、７５は保守管理フレーム生成部を示す。
【００３４】
４ビットのデータを５ビット構成に符号変換した５Ｂデータ、即ち、ユーザデータフレームをデータ受信部７１→データ遅延部７２→保守管理フレーム挿入部７３→データ送信部７４の経路で転送し、光信号に変換して光伝送路に送出するもので、データ遅延部７２は、ユーザデータフレームの送信位相を保守管理フレーム長分常時遅延させて、保守管理フレームの送信とユーザデータフレームの送信に於いて互いの衝突を回避する為のものであり、保守管理フレーム生成部７５から必要に応じて遅延量情報をデータ遅延部７２に加えて遅延量を制御することができる。ここで、データ遅延部７２は、バッファメモリにより実現することも可能であり、又シフトレジスタにより実現することも可能である。
【００３５】
又データ受信部７１は、ユーザデータフレームのデータストリーム終了符号ＥＳＤ又はアイドルパターンＩＤＬＥを検出して、アイドルパターン（ガードタイム）の開始を認識し、挿入タイミング信号をデータ遅延部７２と保守管理フレーム挿入部７３とに加える。又保守管理用インタフェースを介して、加入者側のメディアコンバータに於いては、各部の障害発生や回復の検出情報に従って保守管理フレームを生成して、保守管理フレーム挿入部７３に加える。保守管理フレーム挿入部７３は、この保守管理フレームを、アイドルパターン（ガードタイム）に挿入して、データ送信部７４に転送する。
【００３６】
図８は挿入動作説明図であり、（ａ）は保守管理フレーム、（ｂ）はアイドルパターンＩＤＬＥとユーザデータフレーム、（ｃ）はデータ遅延部７２による遅延出力ユーザデータフレーム、（ｄ）は保守管理フレームを挿入した状態を示す。（ｂ）に示すユーザデータフレームをデータ受信部７１により受信してデータ遅延部７２に転送する。データ受信部７１は、データストリーム終了符号ＥＳＤ又はアイドルパターンＩＤＬＥの開始を検出して、データ遅延部７２及び保守管理フレーム挿入部７３に挿入タイミング信号として通知する。
【００３７】
データ遅延部７２は通常は予め一定の遅延時間ｔを設定しているもので、このデータ遅延部７２からは図８の（ｃ）に示すように、時間ｔだけ遅延されたユーザデータフレーム及びアイドルパターンＩＤＬＥを出力する。保守管理フレーム挿入部７３は、データ受信部７１からの挿入タイミング信号を基に、アイドルパターンＩＤＬＥ内に、（ａ）に示す保守管理フレームを挿入する。この保守管理フレームの前後には、（ｄ）に示すように、アイドルパターンＩＤＬＥが残る状態として、ユーザデータとは衝突しないように制御する。
【００３８】
図９は本発明の実施の形態のメディアコンバータの説明図であり、ネットワーク側のメディアコンバータを示す。同図に於いて、１はメディアコンバータ、３は光伝送路、４はネットワーク機器との間の伝送路、６は制御端末装置、８１はインタフェース部、８２は符号変換部、８３は保守管理フレーム処理部、８４は送受信部、８５は監視／制御部、８６は挿入部、８７は抽出部を示す。
【００３９】
インタフェース部８１は、伝送路４を介してネットワーク機器（図示を省略）を接続し、符号変換部８２は、例えば、４Ｂ／５Ｂ符号変換を行うもので、４Ｂ符号によりネットワーク機器との間でデータの送受信を行い、５Ｂ符号により光伝送路３を介したデータの送受信を行うものである。又保守管理フレーム処理部８３は、符号変換部８２に於いて４Ｂ／５Ｂ符号変換を行う場合、５Ｂ符号による保守管理フレームを挿入する挿入部８６と、５Ｂ符号による保守管理フレームを抽出する抽出部８７とを含み、挿入部８６は、例えば、図７に示す機能部分を含むものである。
【００４０】
又送受信部８４は、光伝送路３に対して光信号を送出し、又光伝送路３を介して受信した光信号を電気信号に変換する機能を含み、又監視／制御部８５は、制御端末装置６との間のインタフェースと、保守管理フレーム処理部８３との間のインタフェースと、各部の障害発生情報の収集及び制御端末装置６への転送機能と、保守情報及び管理情報を例えば図４に従った５Ｂ符号に変換又は逆変換を行う機能とを含むものである。この場合、符号変換部９２に於いて４Ｂ／５Ｂ符号変換を行う構成の場合は、監視／制御部８５は、保守管理フレーム処理部８３との間は、（５Ｂ）として示すように、５Ｂ符号で転送するものである。
【００４１】
符号変換部８２に於いて、例えば、４Ｂ／５Ｂ符号変換を行い、５Ｂ符号に変換したユーザデータフレームを保守管理フレーム処理部８３の挿入部８６を介して送受信部８４に転送し、光伝送路３を介して加入者側のメディアコンバータに送出している場合に、例えば、加入者側のメディアコンバータ２に対して折返しの回路を形成させる為の管理情報を制御端末装置６から入力すると、監視／制御部８５は、図４の５Ｂ符号による予め定めた保守管理符号を選択して、保守管理フレーム処理部８３に転送する。
【００４２】
保守管理フレーム処理部８３の挿入部８６は、図７に示すように、保守管理フレーム生成部７５に於いて、例えば、図５の（Ａ）に示すような保守管理フレームを生成し、保守管理フレーム挿入部７３に於いて、ユーザデータフレームのアイドルパターン（ＩＤＬＥ）内に保守管理フレームを図８の（ｄ）に示すように挿入する。従って、送受信部８４からは、ユーザデータフレーム，アイドルパターン，保守管理フレーム，アイドルパターン，ユーザデータフレームの順序に従って、保守管理フレームを、ユーザデータフレーム間のアイドルパターン内に挿入して光伝送路３に送出する。
【００４３】
又抽出部８７は、例えば、図５の（Ａ）に示す保守管理フレームの場合、ユーザデータフレーム間のアイドルパターン内の保守管理フレーム開始符号を検出すると、その後の保守管理符号を抽出して、監視／制御部８５に転送する。監視／制御部８５は、５Ｂ符号による保守監視情報を、予め定めた監視情報に変換して制御端末装置６へ転送する。例えば、前述のリンク断発生情報の場合、制御端末装置６のディスプレイ等にアラーム表示を行うことになる。
【００４４】
図１０は本発明の実施の形態の加入者側メディアコンバータの説明図であり、光伝送路３と加入者側伝送路５との間に接続した加入者側メディアコンバータ２を示し、基本的にはネットワーク側メディアコンバータ１と同様であり、９１はインタフェース部、９２は符号変換部、９３は保守管理フレーム処理部、９４は送受信部、９５は監視／制御部、９６は挿入部、９７は抽出部を示す。
【００４５】
監視／制御部９５は、伝送路５の障害発生情報を含む各部の障害発生情報の収集する機能と、障害発生情報を予め定めた５Ｂ符号に変換し、又制御端末装置６からネットワーク側メディアコンバータ１を介して転送された保守管理フレーム内の５Ｂ符号による保守管理符号を、予め定めた管理情報に変換する機能等を含むものである。従って、監視／制御部９５と、保守管理フレーム処理部９３との間は、（５Ｂ）として示すように、５Ｂ符号の保守管理符号で転送する。
【００４６】
例えば、前述のリンク断発生情報を監視／制御部９５が収集すると、このリンク断発生情報に対応する５Ｂ符号の保守管理符号に変換して保守管理フレーム処理部９３に転送する。保守管理フレーム処理部９３は、挿入部９６に於いて、保守管理フレームを生成して、ユーザデータフレーム間のアイドルパターン内に挿入して送受信部９４から光伝送路３に送出する。又抽出部９７は、光伝送路３を介してネットワーク側のメディアコンバータ１から送出した保守管理フレームを抽出して監視／制御部９５に転送する。監視／制御部９５は、５Ｂ符号の保守管理符号に対応する情報に変換して、例えば、試験開始の指令の場合、試験用の折返回路を形成する制御を行う。この指令に対する制御結果の応答を、５Ｂ符号の保守管理符号に変換して保守管理フレーム処理部９３の挿入部９６に転送する。又試験終了の指令を受信した場合は、折返回路を解放する制御を行い、その制御結果の応答を、５Ｂ符号の保守管理符号に変換して保守管理フレーム処理部９３の挿入部９６に転送する。
【００４７】
図１１は本発明の他の実施の形態のメディアコンバータの説明図であり、ネットワーク側のメディアコンバータ１を示し、３は光伝送路、４はネットワーク機器を接続する伝送路、６は制御端末装置、１０１はインタフェース部、１０２は符号変換部、１０３は保守管理フレーム処理部、１０４は送受信部、１０５は監視／制御部、１０６は挿入部、１０７は抽出部を示す。ユーザデータフレームの送受信については、図９に示す実施の形態と同様であるから、重複した説明は省略する。
【００４８】
この実施の形態は、インタフェース部１０１と符号変換部１０２との間に保守管理フレーム処理部１０３を設けた場合を示し、符号変換部１０２に於いて前述のように４Ｂ／５Ｂ符号変換を行う場合、保守管理フレーム処理部１０３は４Ｂ符号によって保守管理フレームを形成し、挿入部１０６は、４Ｂ符号のユーザデータフレーム間のアイドルパターン間に、４Ｂ符号による保守管理フレームを挿入し、符号変換部１０２に於いて５Ｂ符号に変換する。又保守管理フレームを受信した時は、符号変換部１０２に於いて４Ｂ符号に変換し、抽出部１０７に於いて４Ｂ符号の保守管理フレームを抽出して、（４Ｂ）として示すように、４Ｂ符号を監視／制御部１０５に転送する。監視／制御部１０５は、４Ｂ符号の保守管理符号を基に障害発生情報等に変換して、制御端末装置６へ転送する。
【００４９】
図１２は本発明の他の実施の形態の加入者側メディアコンバータの説明図であり、３は光伝送路、５は加入者側の端末装置を接続する伝送路、１１１はインタフェース部、１１２は符号変換部、１１３は保守管理フレーム処理部、１１４は送受信部、１１５は監視／制御部、１１６は挿入部、１１７は抽出部を示す。
【００５０】
ネットワーク側のメディアコンバータ１と基本的には同様の構成を有するものであり、又ユーザデータフレームの送受信については、図１０に示す実施の形態と同様であるから、重複した説明は省略する。インタフェース部１１１と符号変換部１１２との間に、保守管理フレームの挿入部１１６と抽出部１１７とを有する保守管理フレーム処理部１１３を接続し、監視／制御部１１５との間は、（４Ｂ）として示すように、図６に示す４Ｂ符号による保守管理符号を転送する。即ち、４Ｂ符号の保守管理フレームを挿入部１１６に於いてユーザデータフレーム間のアイドルパターン内に挿入し、抽出部１１７に於いて４Ｂ符号の保守管理フレームを抽出するものである。
【００５１】
図１３は本発明の第２の実施の形態の説明図であり、ネットワーク側機器に対して複数の加入者側端末装置を接続したデータ伝送システムに於ける保守管理システムを示す。同図に於いて、１３１はネットワーク側のメディアコンバータ、１３２−１，１３２−２は加入者側のメディアコンバータ、１３３，１３３−１，１３３−２は光伝送路、１３４，１３５−１，１３５−２は伝送路、１３６は制御端末装置、１３７はネットワーク機器、１３８−１，１３８−２は加入者の端末装置、１３９は中継光スイッチ装置、１４０は終端部、１４１は光スイッチ部を示す。
【００５２】
光伝送路１３３，１３３−１，１３３−２上の伝送フレームを下方に示し、ＵＤＦはユーザデータフレーム、ＭＦは保守管理フレーム、ＩＤＬはアイドルパターン、ＩＰＧはユーザデータフレーム間のギャップ（ガードタイム）、Ｐ１，Ｐ２はポート番号を示す。
【００５３】
中継光スイッチ装置１３９は、光信号のまま中継処理する構成或いは一旦電気信号に変換して中継処理する構成の何れかを適用することができ、終端部１４０により保守管理フレームの終端処理を行って宛先対応のポートに転送する処理を行い、又光スイッチ部１４１は、ユーザデータフレームについて、図２に示す送信先アドレスに従って送出ポートを選択する機能を備えている。又制御端末装置１３６は、保守管理フレームに、識別符号を付加することによって、端末装置１３８−１，１３８−２を区別できるようにし、又中継光スイッチ装置１３９の終端部１４０も、この識別符号を基に分配送出する機能を備えるものである。
【００５４】
又ネットワーク側のメディアコンバータ１３１と加入者側のメディアコンバータ１３２とによる光伝送路１３３，１３３−１，１３３−２上の伝送フレームについては、前述の実施の形態と同様に、ユーザデータフレームＵＤＦ間のアイドルパターンＩＤＬ内に、保守管理フレームＭＦを挿入するもので、この保守管理フレームＭＦは、前述のように、複数の端末装置１３８−１，１３８−２を識別する為に、図１４の（Ａ），（Ｂ）に示す装置識別符号（Ｎ１），（Ｎ２）を付加する。
【００５５】
即ち、図５の（Ａ）に示す保守管理フレームの開始符号部５１と保守管理情報部５２との間に、装置識別符号部５７を設ける。又は図５の（Ｂ）に示す保守管理フレームの先頭部５３と、開始符号部５４との次に、装置識別情報部５７を付加し、その次に保守管理情報部５５と、終了部５６とを配置することができる。この装置識別符号部５７は、装置識別符号（Ｎ１），（Ｎ２）として示すが、更に多数とすることも可能であり、又同一識別符号を２回転送する構成とすること可能である。又１個とすることも可能である。このような装置識別符号は、加入者側のメディアコンバータ対応に予め設定するか、或いは、自動的に割当てることができるもので、設定された装置識別符号は、例えば、図７の保守管理フレーム生成部７５に於いて保守管理フレームを生成する時に、自動的に付加することができる。
【００５６】
それにより、中継光スイッチ装置１３９の終端部１４０は、ポートＰ１，Ｐ２と装置識別符号との対応を記憶しておき、制御端末装置１３６により指定された端末装置１３８−１，１３８−２対応の装置識別符号を識別して、送出ポートを選択することになる。即ち、光伝送路１３３上に、その矢印方向の下方に示すユーザデータフレームＵＤＦ間のアイドルパターンＩＤＬ内に挿入した最初の保守管理フレームＭＦの装置識別符号が、端末装置１３８−２を示し、次のアイドルパターンＩＤＬ内に、それぞれアイドルパターンＩＤＬを前後に付加した状態の２個の保守管理フレームＭＦが、それぞれ中継光スイッチ装置１３９宛と端末装置１３８−１宛との装置識別符号が付加されている場合、装置識別符号が端末装置１３８−２を示す保守管理フレームは、ポートＰ２に送出され、装置識別符号か端末装置１３８−１を示す保守管理フレームは、ポートＰ１に送出される。又装置識別符号が中継光スイッチ装置を示す保守管理フレームは、図示を省略した制御部に送出される。
【００５７】
図１５は前述の図１３に示す中継光スイッチ装置１３９のネットワーク側から端末装置側へ中継伝送する場合の要部構成を示し、１５１はスイッチ部、１５２は保守管理フレームを抽出する抽出部、１５３は保守管理フレームを挿入する挿入部、１５４はポート番号参照部、１５５は制御部、１５６はポート振分部、Ｐ１〜Ｐｎは光伝送路１３３−１〜１３３−ｎ対応のポートを示す。抽出部１５２と挿入部１５３とは、それぞれ光伝送路対応部の一部の機能として設けたものであり、又各部に於いて電気信号として処理する場合、光伝送路との間のインタフェース部に於いて光／電気変換機能を設けるものである。
【００５８】
ネットワーク側の光伝送路１３３を介して伝送されたユーザデータフレームは、抽出部１５２を介してスイッチ部１５１に入力され、このスイッチ部１５１に於いて送信先アドレスを基に、加入者側の光伝送路１３３−１〜１３３−ｎ対応のポートＰ１〜Ｐｎが選択されて送出される。又抽出部１５２は、ユーザデータフレーム間のアイドルパターン内に挿入された保守管理フレームを抽出してポート番号参照部１５４に転送する。
【００５９】
このポート番号参照部１５４は、保守管理フレームに付加された前述の装置識別符号と、ポートＰ１〜Ｐｎとの対応付けを記憶しており、その装置識別符号が中継光スイッチ装置１３９を示す場合は、抽出した保守管理フレームを、中継光スイッチ装置１３９の各部を制御する制御部１５５に転送する。又加入者側の端末装置へ転送する保守管理フレームの場合は、装置識別符号に対応したポートの選択情報をポート振分部１５６に転送する。このポート振分部１５６は、ポート選択情報を基に、抽出した保守管理フレームを、対応する挿入部１５３に転送する。
【００６０】
挿入部１５３は、スイッチ部１５１から送信先アドレスに従って出力されたユーザデータフレーム間のアイドルパターン内に保守管理フレームを挿入して送出する。この場合の挿入部１５３は、保守管理フレームを挿入するタイミングを制御するもので、例えば、保守管理フレームをバッファメモリに一時蓄積し、ユーザデータフレームの終了符号ＥＳＤを検出後、所定の数のアイドルパターンを検出したタイミングに保守管理フレームを挿入する制御を行うことができる。従って、ネットワーク機器１３７から任意の複数の加入者側の端末装置に対して送出したユーザデータフレームの伝送レートに影響を与えることなく、且つ指定した加入者側のメディアコンバータに保守管理フレームを送出することができる。
【００６１】
又図１６は、複数の加入者側の端末装置からのユーザデータフレームをネットワーク機器に送出する場合の中継光スイッチ装置１３９の要部構成を示し、１６１はスイッチ部、１６２は抽出部、１６３は挿入部、１６４は挿入処理部、１６５は監視処理部、ＰＡはネットワーク機器側のポートを示す。抽出部１６２と、挿入部１６３とは、それぞれ光伝送路１３３−１〜１３３−ｎ，１３３についての伝送路対応部に設けるもので、前述の図１５に於ける挿入部１５３を有する伝送路対応部に、図１６に示す抽出部１６２を設けた構成とすることも可能である。同様に、図１５に於ける抽出部１５２を有する伝送路対応部に、図１６に示す挿入部１６３を設けた構成とすることも可能である。
【００６２】
ユーザデータフレームについては、送信先アドレスがネットワーク機器を示すことになるから、スイッチ部１６１はポートＰＡを選択して加入者側の端末装置からのユーザデータフレームを、挿入部１６３を介して光伝送路１３３に送出する。又ユーザデータフレーム間のアイドルパターン内に挿入された保守管理フレームを、抽出部１６２に於いて抽出すると、挿入処理部１６４に転送する。
【００６３】
この挿入処理部１６４は、保守管理フレームを一時的にバッファリングし、挿入部１６３を通過するユーザデータフレーム間のアイドルパターン内に挿入する順番等の処理を行うものである。このようなタイミング制御の手段は、挿入部１６３に設けることもできる。又中継光スイッチ装置１３９内の障害発生等の情報を監視処理部１６５に於いて収集し、障害発生情報を含む保守管理フレームを形成し、その場合の装置識別符号を中継光スイッチ装置１３９を示すものとして、挿入部１６３に於いてユーザデータフレーム間のアイドルパターン内に挿入して制御端末装置１３６に転送することになる。従って、ユーザデータフレームの伝送に影響を与えることなく、制御端末装置１３６により、複数の加入者側のメディアコンバータを含めて保守及び管理を行うことができる。
【００６４】
本発明は、前述の各実施の形態にのみ限定されるものではなく、種々付加変更することが可能であり、例えば、ｘＢ／ｙＢ符号変換としてのｘ，ｙはｘ＜ｙの条件を満たせば任意の値を選択した符号変換が可能である。又保守管理フレームは、保守管理情報が長い場合、マルチフレーム形式で分割してそれぞれユーザデータフレーム間のガードタイム（アイドルパターン）内に挿入して伝送することも可能である。
【００６５】
【発明の効果】
以上説明したように、本発明は、上位プロトコルを実装することなく、ネットワーク側のメディアコンバータ１に接続した制御端末装置６によって、データ伝送システムの保守及び管理を実行することができ、又その為の保守管理フレームを、ユーザデータフレーム間のガードタイム（アイドルパターン）内に挿入して伝送するから、ユーザデータのトラフィックに影響を及ぼすことがなく、又保守管理フレームに装置識別符号を付加することにより、１対１のデータ伝送のみでなく、ｎ対１のデータ伝送を行う場合の保守及び管理も可能となる。従って、広域ネットワークに於ける安価な保守及び管理を実現できる利点がある。
【図面の簡単な説明】
【図１】本発明の実施の第１の形態の説明図である。
【図２】フレームフォーマットの説明図である。
【図３】４Ｂ／５Ｂ符号の説明図である。
【図４】本発明の実施の形態に於ける４Ｂ／５Ｂ符号の説明図である。
【図５】保守管理フレームの説明図である。
【図６】本発明の他の実施の形態に於ける４Ｂ／５Ｂ符号の説明図である。
【図７】本発明の実施の形態の挿入部の説明図である。
【図８】挿入動作説明図である。
【図９】本発明の実施の形態のメディアコンバータの説明図である。
【図１０】本発明の実施の形態の加入者側メディアコンバータの説明図である。
【図１１】本発明の他の実施の形態のメディアコンバータの説明図である。
【図１２】本発明の他の実施の形態の加入者側メディアコンバータの説明図である。
【図１３】本発明の第２の実施の形態の説明図である。
【図１４】装置識別符号を付加した保守管理フレームの説明図である。
【図１５】本発明の第２の実施の形態の中継光スイッチ装置の説明図である。
【図１６】本発明の第２の実施の形態の中継光スイッチ装置の説明図である。
【符号の説明】
１  ネットワーク側のメディアコンバータ
２  加入者側のメディアコンバータ
３  光伝送路
４，５  伝送路
６  制御端末装置
７  ネットワーク機器
８  端末装置
【図１】
0003738385.tif 000002
【図２】
0003738385.tif 000003
【図３】
0003738385.tif 000004
【図４】
0003738385.tif 000005
【図５】
0003738385.tif 000006
【図６】
0003738385.tif 000007
【図７】
0003738385.tif 000008
【図８】
0003738385.tif 000009
【図９】
0003738385.tif 000010
【図１０】
0003738385.tif 000011
【図１１】
0003738385.tif 000012
【図１２】
0003738385.tif 000013
【図１３】
0003738385.tif 000014
【図１４】
0003738385.tif 000015
【図１５】
0003738385.tif 000016
【図１６】
0003738385.tif 000017